(57)【要約】【課題】  外観品質が高く高級感を有し、且つ装飾部が簡単に取り除かれる虞の無い筆記具を提供する。【解決手段】  軸筒部の外側面部の所定位置に配設された装飾部本体と、上記装飾部本体を外方から被覆すると共に、透過性を有し、合成樹脂からなる被覆部材とから形成された装飾部を備える構成とする。【選択図】  図１
0003168180.tif 000002
【実用新案登録請求の範囲】
【請求項１】
軸筒部の外側面部に装飾部を有する筆記具であって、
上記装飾部は、軸筒部の外側面部の所定位置に配設された装飾部本体と、
上記装飾部本体を外方から被覆すると共に、透過性を有し、合成樹脂からなる被覆部材とから形成されていることを特徴とする筆記具。
【請求項２】
上記装飾部本体はシート状に形成され、
上記装飾部本体の外側面部には所定の図絵、文字、若しくは写真が表示されていることを特徴とする請求項１記載の筆記具。
【請求項３】
上記装飾部本体は、所定の装飾形状に形成されていることを特徴とする請求項１記載の筆記具
【請求項４】
上記装飾部本体は、粘着材を介して、上記軸筒部の外側面部に貼着固定されていることを特徴とする請求項２又は請求項３に記載の筆記具。
【請求項５】
上記装飾部は、上記軸筒部のグリップ部に配設されていることを特徴とする請求項１から請求項４何れか１項に記載の筆記具。
【請求項６】
上記被覆部材には、所定の装飾が施されていることを特徴とする請求項１から請求項５いずれか１項に記載の筆記具。
【請求項７】
上記被覆部材は塩化ビニルから形成されていることを特徴とする請求項１から請求項５何れか１項に記載の筆記具。
【考案の詳細な説明】
【技術分野】
【０００１】
本考案は、軸筒部に装飾部を備える筆記具に関する。
【背景技術】
【０００２】
筆記具は、生活において使用頻度が高く、また、使用層も特定の年齢層に限られないことから、一般販売の他にも、所定のロゴ、図絵、若しくはキャラクター等を軸筒部に印刷して、キャラクターグッズとして販売するケース、又は、販売促進キャンペーン等において販売促進用のノベルティーグッズとして配されることが多い。
【０００３】
しかしながら、軸筒部の外側面部に、所定の装飾部を直接印刷する場合には、筆記具の製造過程において、上記装飾部を印刷するための工程が必要となることから、筆記具全体としての製造コストが大きくなるという不具合を有していた。
また、既存の筆記具に対し、キャラクターやロゴ等のシールを、軸筒部に貼設することによって、装飾部を形成する場合もあるが、後付け感が大きく、高級感に欠け、外観品質が低くなるという不具合を有していた。
また、貼着したシールは簡単に剥がれてしまうことから、その場合には、宣伝広告効果が失われてしまうという別途の不具合をも有していた。
【考案の開示】
【考案が解決しようとする課題】
【０００４】
本考案の課題は、外観品質が高く高級感を有し、且つ装飾部が簡単に取り除かれる虞の無い筆記具を提供することにある。
【課題を解決するための手段】
【０００５】
上記課題を解決するために、請求項１の考案に係る筆記具は、軸筒部の外側面部に装飾部を有する筆記具であって、上記装飾部は、軸筒部の外側面部の所定位置に配設された装飾部本体と、上記装飾部本体を外方から被覆すると共に、透過性を有し、合成樹脂からなる被覆部材とから形成されていることを特徴とする。
【０００６】
従って、上記被覆部材によって上記装飾部本体が被覆されているため、上記装飾部本体が軸筒部に密着し、外方から視認した場合に、上記装飾部本体が、軸筒部に直接印刷されているように視認される。
【０００７】
また、請求項２の考案に係る筆記具は、上記装飾部本体はシート状に形成され、上記装飾部本体の外側面部には所定の図絵、文字、若しくは写真が表示されていることを特徴とする。
【０００８】
従って、目的に応じて、装飾部本体に施される装飾を適宜選択することができる。
【０００９】
また、請求項３の考案にかかる筆記具は、上記装飾部本体は、所定の装飾形状に形成されていることを特徴とする。
【００１０】
従って、紙、プラスチック等のシート材を、任意の形状に切り抜くことによって、装飾部本体そのものを任意の装飾形状に形成することができる。
【００１１】
また、請求項４の考案にかかる筆記具は、上記装飾部本体は、粘着材を介して、上記軸筒部の外側面部に貼着固定されていることを特徴とする。
【００１２】
従って、上記装飾部本体は、粘着材を介して、軸筒部の所定位置に密着して固定される。
【００１３】
また、請求項５の考案に係る筆記具は、上記装飾部は、上記軸筒部のグリップ部に配設されていることを特徴とする。
【００１４】
従って、上記被覆部材は、グリップ部を手で把持した場合の緩衝材としても作用する。
【００１５】
また、請求項６の考案に係る筆記具は、上記被覆部材には、所定の装飾が施されていることを特徴とする。
【００１６】
上記被覆部材が透過性を有していることから、上記被覆部材の装飾と、上記装飾部本体が一体で、且つ立体的に視認される。
【００１７】
また、請求項７の考案に係る筆記具は、上記被覆部材は塩化ビニルから形成されていることを特徴とする。
【考案の効果】
【００１８】
請求項１の考案にあっては、軸筒部の外側面部に装飾部を有する筆記具であって、上記装飾部は、軸筒部の外側面部の所定位置に配設された装飾部本体と、上記装飾部本体を外方から被覆すると共に、透過性を有し、合成樹脂からなる被覆部材とから形成されていることから、装飾部本体が軸筒部に密着し、上記装飾部本体が、軸筒部に直接印刷されているように視認される。
従って、外観品質が高く、高級感を有し、且つ被服部材で被覆されていることから、装飾部本体部が外れ難く、装飾部を取り除かれる虞の無い筆記具を提供することができる。
【００１９】
また、請求項２の考案にあっては、上記装飾部本体はシート状に形成され、上記装飾部本体の外側面部には所定の図絵、文字、若しくは写真が表示されていることから、装飾のデザインが限定されず、且つオーダーメードについても容易に対応することができる。
【００２０】
また、請求項３の考案にあっては、上記装飾部本体は、所定の装飾形状に形成されていることから、更に装飾のデザインの選択肢が多くなる。
【００２１】
また、請求項４の考案にあっては、上記装飾部本体は、粘着材を介して、上記軸筒部の外側面部に貼着固定されていることから、請求項１の効果に加え、上記装飾部本体が上記軸筒部に密着し、筆記具の使用時においても装飾部本体がずれ難く、高い外観品質を保持できる。
【００２２】
また、請求項５の考案にあっては、上記装飾部は、上記軸筒部のグリップ部に配設されていることから、上記装飾部の被覆部材が、グリップ部の緩衝材としても作用すると共に、装飾がより目立ち易く、装飾による宣伝広告等の効果がより向上する。
【００２３】
また、請求項６の考案にあっては、上記被覆部材には、所定の装飾が施されていることから、上記装飾部本体の装飾と合わせて視認した場合に、上記被覆部材の装飾と上記装飾部本体の装飾によって立体的に視認されうる装飾が可能となる。
【００２４】
また、請求項７の考案に係る筆記具は、上記被覆部材は塩化ビニルから形成されていることから、上記被覆部材の透過性が高く、装飾部本体が視認し易いと共に、材料コストが低いことから、低い製造コストで装飾部を形成することができる。
【図面の簡単な説明】
【００２５】
【図１】本考案の一実施の形態を示し、実施の形態に係る筆記具の全体斜視図及び軸筒部に装着する装飾部本体、及び被覆部材の装着構造を示す斜視図である。
【図２】本考案の一実施の形態を示し、実施の形態において、装飾部本体と被覆部材を軸筒部に装着した状態を示す全体斜視図である。
【考案を実施するための最良の形態】
【００２６】
以下、添付図面を用いて、本考案の実施の形態について、装飾部本体に所定の図絵、若しくは写真が印刷されている形態の場合を例として説明する。
図１に示すように、本実施例に係る筆記具１０は、軸筒部１１の外側面部に装飾部１２を有し、上記装飾部１２は軸筒部１１の外側面部の所定位置に配設された装飾部本体１３と、上記装飾部本体１３を外方から被覆すると共に、透過性を有する塩化ビニルからなり、所定の装飾１４ａが施された被覆部材１４とから形成されている。
また、上記装飾部本体１３はシート状に形成され、外側面部には所定の図絵、文字、若しくは写真等の装飾１３ａが表示されている。
また、上記装飾部本体１３は、粘着材１５を介して、上記軸筒部１１の外側面部におけるグリップ部１６に貼着固定されている。
【実施例】
【００２７】
以下、上記形態の実施例の構成について、装飾部を軸筒部のグリップ部に配設した場合を例として添付図面を用いて詳述する。
図１は、本実施例に係る筆記具１０の全体斜視図、及び軸筒部１１に装着する装飾部本体１３、及び被覆部材１４の装着構造を示している。
図１に示すように、本実施例に係る筆記具１０は軸筒部１１の内部に、複数のリフィール部２１を備えた、所謂多色ボールペンであり、軸筒部１１の上端部には、上記リフィール部の上端部に接続すると共に、上記リフィール部２１の先端を、上記軸筒部１１の下端部に接続されたペン先部１８から出没可能に突出させるノック部材１７が、上記軸筒部１１の周方向に沿って複数個配設されている。
また、上記軸筒部１１の上端部には、クリップ部１９が装着されている。
【００２８】
また、図１に示すように、上記軸筒部１１は、全体略円筒形に形成され、上記軸筒部１１のペン先部１８側端部には、上記軸筒部１１の外形寸法よりもやや小径に形成されたグリップ部１６が、上記軸筒部１１の軸方向に沿って、所定寸法分形成されている。
【００２９】
また、図１に示すように、上記装飾部本体１３は、紙製であり、内側面部には粘着材１５が配設されている。
なお、粘着材１５は接着剤等を上記装飾部本体１３の内側面部に直接塗布する方法、若しくは両面接着テープを上記装飾部本体１３の内側面部に貼付する等の任意の方法を選択することができる。
【００３０】
また、上記装飾部本体１３の外側面部に施されている装飾１３ａの表示方法としては、印刷、焼付け、若しくは台紙上の粘着材等で貼付した形態のいずれであっても良い。
また、上記装飾部本体１３自体を所定の装飾形状に切り取り、上記軸筒部１１の外側面部に貼着する形態であっても良い。
【００３１】
また、被覆部材１４は、上記グリップ部１６の外形寸法と略同一の内径寸法を有し、所定の厚さ寸法を有する円筒形に形成され、上記グリップ部１６と略同一の軸寸法に形成されている。
また、上記被覆部材１４に施されている装飾１４ａは、上記被覆部材１４の外側面部、若しくは内周面部に印刷等の手段によって印刷することによって形成する方法、若しくは、上記被覆部材１４の内部に装飾部材（図示せず）を埋設する方法等、任意の方法によって施されている。
【００３２】
本実施例の作用について添付図面を用いて説明する。
図１に示すように、装飾部本体１３を、上記軸筒部１１のグリップ部１６の周囲に巻装し、粘着材を介して、上記グリップ部１６の外側面部に貼着固定する。
その後、図２に示すように、上記被覆部材１４に、ペン先部１８、若しくは、上端部から上記軸筒部１１を挿通し、上記グリップ部１６の外側面部において、上記装飾部本体１３を被覆するように配置し、上記被覆部材１４の両端部を、上記グリップ部１６の両端部の段部２０，２０に係止して固定する。
【００３３】
また、図２に示すように、本実施例によれば、上記装飾部本体１３は粘着材１５を介して、上記軸筒部１１の外側面部に密着し、且つ上記被覆部材１４によって被覆されることから、外観上は、軸筒部１１の外側面部に直接装飾が印刷されているように視認される。
従って、軸筒部１１に、単純にシールを貼着する形態の装飾と比較して、上記装飾部１２に対して、オーダーメードのような高級感を有する外観品質を確保することができる。
また、上記被覆部材１４が透過性を有し、且つ所定の厚さ寸法を有することから、装飾部本体１３による装飾１３ａと、上記被覆部材１４の装飾１４ａとが互いに異なる高さに配置されるため、外方から視認した場合に、立体的に視認されうる装飾模様を形成することができる。
従って、より斬新且つ外観品質が高い装飾部１２を有する筆記具１０を提供することができるため、ノベルティーグッズ等に用いた場合の宣伝広告効果が更に大きくなる。
【００３４】
なお、本実施例においては、装飾部本体を紙製としたが、軸筒部の外側面部に巻装して装着可能であれば、合成樹脂等のシート材を用いることもできる。
また、被覆部材については、塩化ビニルの他、所定の透過性を有していれば、天然ゴム、シリコンゴム、その他合成樹脂材を選択することもできる。
また、上記被覆部材の硬さ、及び弾性の有無等についても、特に限定されることは無く、柔らかいグリップを形成する場合には、弾性を有しより柔らかい素材を選択することができる。
また、筆記具の種類は、本実施例にしめしたボールペンの他、シャープペン、万年筆、毛筆等、上記装飾部本体を装着することが可能な軸筒部を有していれば、特に限定する必要は無い。
【産業上の利用可能性】
【００３５】
本考案は、軸筒部に装飾部を備える筆記具に適用可能である。
【符号の説明】
【００３６】
１０  筆記具
１１  軸筒部
１２  装飾部
１３  装飾部本体
１３ａ装飾
１４  被覆部材
１４ａ装飾
１５  粘着材
１６  グリップ部
１７  ノック部材
１８  ペン先部
１９  クリップ部
２０  段部
２１  リフィール部
【図１】
0003168180.tif 000003
【図２】
0003168180.tif 000004